(57)【要約】【課題】絵柄の作成作業の負担を増やすことなく、全面に亘って異なる絵柄を形成することで意匠性を損なうことがない、絵柄印刷方法を提供することを課題とする。【解決手段】オリジナル意匠のデジタル画像データを作成する工程と、オリジナル意匠のデジタル画像データを繰り返し繋ぎ合せ、且つ隣接するオリジナル意匠のデジタル画像データに跨って形成する模様を付加するリピート処理工程と、リピート処理工程で得た化粧シート全面のデジタル画像データに対して、選択した模様を削除する工程と、削除工程で削除された各々の模様に対して、それぞれ模様出現率を設定する工程と、設定された模様出現率に基づき、化粧シート全面のデジタル画像データを作成する工程Ａと、工程Ａで作成された化粧シート全面のデジタル画像データを使用して、無版印刷により化粧シートの絵柄を被印刷基材に印刷する印刷工程と、を備えていることを特徴とする絵柄印刷方法。【選択図】図１
2019186811.tif 000002
【特許請求の範囲】
【請求項１】
被印刷基材の全面に亘って異なる絵柄を印刷する化粧シートの絵柄印刷方法であって、
化粧シートの背景と、複数の模様と、を備えたデジタル画像データからオリジナル意匠のデジタル画像データを作成する工程と、
少なくとも化粧シートの長手方向に、オリジナル意匠のデジタル画像データを繰り返し繋ぎ合せた後、隣接するオリジナル意匠のデジタル画像データに跨って形成する模様を付加することにより、化粧シート全面のデジタル画像データを作成するリピート処理工程と、
リピート処理工程で得た化粧シート全面のデジタル画像データに対して、各々のオリジナル意匠のデジタル画像データの中の模様を選択し、削除する削除工程と、
削除工程で削除された各々の模様があった位置に対して、それぞれ模様出現率を設定する工程と、
設定された模様出現率に基づき、化粧シート全面のデジタル画像データを作成する工程Ａと、
工程Ａで作成された化粧シート全面のデジタル画像データを使用して、無版印刷により化粧シートの絵柄を被印刷基材に印刷する印刷工程と、を備えていることを特徴とする絵柄印刷方法。
【請求項２】
前記無版印刷がインクジェット印刷であることを特徴とする請求項１に記載の絵柄印刷方法。
【発明の詳細な説明】
【技術分野】
【０００１】
本発明は、化粧シートの絵柄印刷方法に関する。
【背景技術】
【０００２】
化粧シートは、紙や樹脂シートなどの被印刷基材に木目などの絵柄を印刷したものであり、建造物の内壁に貼る壁紙や、室内のドアや家具の表面に貼って意匠性を高める化粧材として使用されている。
【０００３】
化粧シートは、通常は長尺の帯状に作製され、ロール状に巻かれた形態で提供される。このような長尺の帯状の化粧シートを有版印刷にて製造する場合は、同じ絵柄が縦横方向に繰り返し形成され、継ぎ目が分らない様に繋ぎ合わされて作製されている。そのため、同じ絵柄が繰り返し使用されていることで、意匠性が優れているとは言えなかった。例えば図３（ａ）に示した様に、模様Ａ´、Ｂ´、Ｃ´、Ｄ´、Ｅ´が、図面の下方向に繰り返して形成されている事が分る。他の模様も全て同様である。Ｆ´は背景である。図３（ｂ）は、図３（ａ）から〇印を取り除いた図である。
【０００４】
この様な意匠性の問題を解決する方法として、インクジェット印刷のような無版印刷を使用して、ロール状の長手方向およびその方向と直交する方向の全域に亘って、異なる絵柄を形成することが考えられる。しかしながら全面を異なる絵柄として形成するには膨大な印刷データを作成する必要があり、その作成に長時間を要する問題がある。
【０００５】
そのため、有版印刷を使用して同じ絵柄を繰り返して作製する場合より著しく作業時間が増加することなく、化粧シート全面に異なる絵柄を形成することができる化粧シートの絵柄印刷方法が待望されていた。
【０００６】
そのような技術に類似した技術としては、例えば特許文献１に開示されている印刷柄起こしシステムを挙げることができる。この技術は、印刷しようとする絵柄の作成（印刷柄起こし）において扱うデータ量を減らして、能率的に自然な風合いの印刷柄起こしを可能とする技術である。
【０００７】
具体的には、複数の柄形状を表示する手段と、柄形状表示手段によって表示され、オペレータの指示によって選択された柄形状を被印刷面に分散させる手段と、分散された柄形状によって定まる被印刷面の柄領域のそれぞれに割り付けるテクスチャの配分をオペレータの指示に従って表示する手段と、その表示する手段による配分で各テクスチャを各柄領域に割り付ける手段と、割り付けられたテクスチャのテクスチャパターンから部分テクスチャデータを該当柄領域の形状で切り出す手段と、を備えた印刷柄起こしシステムである。
【０００８】
この印刷柄起こしシステムは、単純な絵柄の繰り返しではなく、化粧シート全面に亘って異なる絵柄からなる化粧シートの柄起こしを可能とする優れた技術である。
【０００９】
しかしながら、単純な絵柄の繰り返しではない絵柄を作成するために多くの工程を必要とする。例えばオペレータが柄形状を選択し、その柄形状を被印刷面に分散させる作業や分散された柄形状によって定まる被印刷面の柄領域のそれぞれに割り付けするテクスチャを配分する作業をオペレータが行う必要がある。
【００１０】
そのため、従来の同じ絵柄の繰り返しからなる化粧シートの絵柄の作成に要する作業と
比較して、作業量が増える問題がある。また、この技術は化粧シートの印刷柄起こしシステムであって、化粧シートの絵柄の印刷まで行う技術とは異なる。
【先行技術文献】
【特許文献】
【００１１】
【特許文献１】特開２００５−３４１４３４号公報
【発明の概要】
【発明が解決しようとする課題】
【００１２】
上記の事情に鑑み、本発明は、絵柄の作成作業の負担を大幅に増やすことなく、全面に亘って異なる絵柄を形成することで意匠性を損なうことがない、絵柄印刷方法を提供することを課題とする。
【課題を解決するための手段】
【００１３】
上記の課題を解決する手段として、本発明の請求項１に記載の発明は、被印刷基材の全面に亘って異なる絵柄を印刷する化粧シートの絵柄印刷方法であって、
化粧シートの背景と、複数の模様と、を備えたデジタル画像データからオリジナル意匠のデジタル画像データを作成する工程と、
少なくとも化粧シートの長手方向に、オリジナル意匠のデジタル画像データを繰り返し繋ぎ合せた後、隣接するオリジナル意匠のデジタル画像データに跨って形成する模様を付加することにより、化粧シート全面のデジタル画像データを作成するリピート処理工程と、
リピート処理工程で得た化粧シート全面のデジタル画像データに対して、各々のオリジナル意匠のデジタル画像データの中の模様を選択し、削除する削除工程と、
削除工程で削除された各々の模様があった位置に対して、それぞれ模様出現率を設定する工程と、
設定された模様出現率に基づき、化粧シート全面のデジタル画像データを作成する工程Ａと、
工程Ａで作成された化粧シート全面のデジタル画像データを使用して、無版印刷により化粧シートの絵柄を被印刷基材に印刷する印刷工程と、を備えていることを特徴とする絵柄印刷方法である。
【００１４】
また、請求項２に記載の発明は、前記無版印刷がインクジェット印刷であることを特徴とする請求項１に記載の絵柄印刷方法である。
【発明の効果】
【００１５】
本発明の化粧シートの絵柄印刷方法によれば、まず、背景データと複数の模様データを備えたオリジナル意匠のデジタル画像データを使用して、それを繋ぎ合せて化粧シート全面のデジタル画像データを作成する。その後、各オリジナル意匠の複数の模様データの中から削除する模様を決定し削除する。その後、削除した各模様の位置におけるそれぞれの模様出現率を設定する。本発明の化粧シートの絵柄印刷方法は、その模様出現率に対応させて作成した化粧シート全面のデジタル画像データを使用して無版印刷する絵柄印刷方法であるため、化粧シート全面に亘って異なる絵柄を形成することができる。そのため、自然な風合いとなり、意匠性を損ねることはない。
【００１６】
また、１つのオリジナル意匠のデジタル画像データから選択した模様を削除したデジタル画像データと、削除した模様の位置データに対応させた模様出現率のデータと、を使用して、それらから作成した単位画素を繋ぎ合せることにより化粧シート全面のデジタル画像データを作成するため、扱うデジタル画像データ量が膨大とはならない。
【００１７】
また、オリジナル意匠のデジタル画像データを単に繋ぎ合せることによって化粧シート全面のデジタル画像データを作成する場合とくらべ、絵柄のデジタル画像データの作成作業の負担を著しく増やすことはない。
【図面の簡単な説明】
【００１８】
【図１】本発明の化粧シートの絵柄印刷方法を説明する説明図。
【図２】本発明の化粧シートの絵柄印刷方法による化粧シートの絵柄を例示する説明図であって、（ａ）は化粧シートの長手方向（上下方向）に、同じパターンが４つ繰り返し形成された化粧シートの５つの特徴Ａ〜Ｅに〇印を付与した図であり、（ｂ）は（ａ）から〇印を取り除いた図である。
【図３】従来の化粧シートの絵柄印刷方法による化粧シートの絵柄を例示する説明図であって、（ａ）は化粧シートの長手方向（上下方向）に、同じパターンが４つ繰り返し形成された化粧シートの５つの特徴Ａ〜Ｅに〇印を付与した図であり、（ｂ）は（ａ）から〇印を取り除いた図である。
【発明を実施するための形態】
【００１９】
本発明の化粧シートの絵柄印刷方法について、図１および図２を使用して説明する。
本発明の化粧シートの絵柄印刷方法は、被印刷基材の全面に亘って異なる絵柄を印刷する化粧シートの絵柄印刷方法である。
【００２０】
本発明の化粧シートの絵柄印刷方法は、化粧シートの背景と、複数の模様と、を備えたデジタル画像データからオリジナル意匠のデジタル画像データを作成する工程と、少なくとも化粧シートの長手方向に、オリジナル意匠のデジタル画像データを繰り返し繋ぎ合せ、且つ隣接するオリジナル意匠のデジタル画像データに跨って形成する模様を付加することにより、化粧シート全面のデジタル画像データを作成するリピート処理工程と、リピート処理工程で得た化粧シート全面のデジタル画像データに対して、各々のオリジナル意匠のデジタル画像データの中から、模様を選択し、削除する削除工程と、削除工程で削除された各々の模様に対して、それぞれ模様出現率を設定する工程と、設定された模様出現率に基づき、化粧シート全面のデジタル画像データを作成する工程Ａと、工程Ａで作成された化粧シート全面のデジタル画像データを使用して、無版印刷により化粧シートの絵柄を被印刷基材に印刷する印刷工程と、を備えていることが特徴である。
【００２１】
（オリジナル意匠のデジタル画像データの作成工程）
化粧シートの背景と、複数の模様と、を備えたデジタル画像データからオリジナル意匠のデジタル画像データを作成する工程である。図１のオリジナル意匠のデジタル画像データの作成工程の欄の右側に例示した様に、化粧シートの絵柄の構成要素である背景Ｆのデジタル画像データと、〇印で示した模様Ａ〜Ｅとそれ以外の模様を含めた模様のデジタル画像データと、を合成することにより、オリジナル意匠のデジタル画像データを作成する。
【００２２】
（リピート処理工程）
このオリジナル意匠のデジタル画像データを画像データの単位画像として、例えば化粧シートの長手方向に繋ぎ合せることで化粧シート全面に対応したデジタル画像データを作成する工程である。また、図１のリピート処理工程の右側の欄に例示した様に、隣接する画像データの単位画像間に跨る１つの模様を分割した模様ａと模様ｂを追加する。なお、追加する模様は複数であっても良い。また繋ぎ目を分らなくする処理も行うことが望ましい。これらの処理により、自然な風合いを醸し出すことができる。また、背景を無地としておくことで、繋ぎ目を分らなくする処理を省略することも可能である。
【００２３】
（選択した模様の削除工程）
リピート処理工程で作成した化粧シート全面のデジタル画像データに対して、図１における選択した模様の削除工程の右側の欄に例示した様に、全単位画像の中の模様Ａ〜Ｅのデジタル画像データを削除する。また、模様Ａ〜Ｅの各単位画像の中における模様Ａ〜Ｅがあった位置（座標）を記憶しておく。この様にしておくことにより、それらの位置に対する模様出現率を紐付けしておくことができる。各模様の位置とその模様出現率をセットにしておくことで、化粧シート全面で、各模様の位置の模様出現率を予め設定した値を実現することができる。
【００２４】
ここで模様出現率とは、化粧シート全面における、各単位画像の中の各模様Ａ〜Ｅがあった位置における模様が出現する割合（％）である。例えば、模様Ａがあった位置が、化粧シート全面で１００箇所あった場合、模様Ａの出現率５０％とは、５０箇所で模様Ａが印刷されることを意味する。また、模様Ａがあった位置に印刷される模様は、模様Ａでなくても構わない。自然な風合いが醸し出されるのであれば、任意の模様であって良い。
【００２５】
（模様出現率の設定工程）
化粧シート全面に対応した各単位画像の模様Ａ〜Ｅがあった位置における模様Ａ〜Ｅの出現率（模様出現率）を設定する。それぞれが異なる模様出現率として設定することにより自然な風合いの絵柄を得ることができるが、必ずしも全てが異なる模様出現率としなくても、意匠性が低下しない範囲であれば、同じ模様出現率の模様があっても構わない。
【００２６】
その様な模様出現率を、例えば、図１の模様出現率の設定工程の右側の欄に例示した表の様に、模様Ａがあった位置における模様Ａの模様出現率を５０％、模様Ｂがあった位置における模様Ｂの模様出現率を２０％、模様Ｃがあった位置における模様Ｃの模様出現率を０％、模様Ｄがあった位置における模様Ｄの模様出現率を８０％、模様Ｅがあった位置における模様Ｅの模様出現率を１００％と設定した場合を示している。それらの模様出現率は、０％〜１００％の任意の確率で良いが、全て０％であったり、全て１００％では自然な風合いを醸し出すことはできない。自然な風合いを作り出すことができるランダムな模様出現率を設定することが望ましい。
【００２７】
（化粧シート全面のデジタル画像データの作成工程）
化粧シート全面に亘って繋ぎ合わされた各単位画像の中の模様Ａ〜Ｅがあった位置において、設定された模様出現率に基づいて、模様Ａ〜Ｅが形成された化粧シート全面のデジタル画像データを演算処理し、化粧シート全面のデジタル画像データを作成し、記憶する。演算処理にあたって、予め決められた規則に従って、各単位画像中の模様Ａ〜Ｅの出現方法を決めても良い。また、より自然な風合いを醸し出すために、決められた模様出現率を満たすために、どの単位画像に模様を形成（または印刷）するか、どの単位画像に模様を形成しないかを、ランダム関数を使用して決定することが望ましい。
【００２８】
（印刷工程）
化粧シート全面のデジタル画像データの作成工程で得た化粧シート全面のデジタル画像データを使用して無版印刷する。無版印刷としては、例えばインクジェット印刷を好適に使用することができるが、これに限定する必要はない。例えば、電子写真記録方式やレーザー記録方式の印刷技術を使用することもできる。
【００２９】
図２は、本発明の化粧シートの絵柄印刷方法を使用して印刷した、化粧シートの絵柄の例を示したものである。図２（ａ）は、図の上から下に向って４つの単位画像を形成された化粧シートの一部を例示したものである。図中に４つの模様Ａの位置のうち、３つに模様Ａが形成されており、１つには形成されていない例となっている。模様Ｂの位置については、模様Ｂが４つ中３つに形成されている。模様Ｃの位置についても、模様Ｃが４つ中３つに形成されている。模様Ｄの位置については、模様Ｄが４つ中２つに形成されている
。模様Ｅの位置については、模様Ｅが4つ中３つに形成されている。Ｆは背景である。
【００３０】
それらの模様出現率は、これら４つの単位画像では設定した模様出現率とは異なっているが、化粧シート全面に亘る模様出現率は、模様出現率の設定工程にて設定した出現率と一致する様に、各模様Ａ〜Ｅが形成されている。
【符号の説明】
【００３１】
Ａ、Ａ´、Ｂ、Ｂ´、Ｃ、Ｃ´、Ｄ、Ｄ´、Ｅ、Ｅ´・・・模様
Ｆ、Ｆ´・・・バックグラウンド（背景）
ａ、ｂ・・・隣接する単位画像に跨って形成された模様
【図１】
2019186811.tif 000003
【図２】
2019186811.tif 000004
【図３】
2019186811.tif 000005